(57)【要約】  本発明は、円筒形のケーシングと、および、このケーシング内に収納された、少なくとも１つの電池の取り外し可能な保持のための電池カートリッジ１とを有する、ポケットランプに関する。そのポケットランプの場合に、故障したスライドスイッチが、簡単に且つコストとは無関係に組み付けられもしくは交換され得る、該ポケットランプを提供するために、本発明に従い、ケーシングの上で移動可能に支承されたスライダー２０と、および、電池カートリッジ１の上で旋回可能に支承された切替アーム５とを有する、スライドスイッチ２４が設けられている。
2013531344.tif 000002
【特許請求の範囲】
【請求項１】
円筒形のケーシングと、および、このケーシング内に収納された、少なくとも１つの電池の取り外し可能な保持のための電池カートリッジ（１）とを有する、ポケットランプにおいて、
ケーシングの上で移動可能に支承されたスライダー（２０）と、および、電池カートリッジ（１）の上で旋回可能に支承された切替アーム（５）とを有する、スライドスイッチ（２４）が設けられていることを特徴とするポケットランプ。
【請求項２】
切替アーム（５）に電気的な接触要素（６）が、および、電池カートリッジ（１）の上に電気的な接触面（７）が形成されていることを特徴とする請求項１に記載のポケットランプ。
【請求項３】
スライダー（２０）の下側に、機械的な接触要素（２１）が形成されており、この接触要素が、組み込まれた状態において、切替アーム（５）と当接状態にあることを特徴とする請求項１または２に記載のポケットランプ。
【請求項４】
切替アーム（５）は、立ち上がり傾斜部（８）、アーチ状の隆起部（９）、および、このアーチ状の隆起部（９）に比して降下された部分領域（１０）を備えていることを特徴とする請求項１から３のいずれか一つに記載のポケットランプ。
【請求項５】
電池カートリッジ（１）、およびケーシング内側表面の上に、案内要素が設けられており、従って、この電池カートリッジ（１）が、正確に、電池ケーシング内へと挿入され得る
ことを特徴とする請求項１から４のいずれか一つに記載のポケットランプ。
【請求項６】
電池カートリッジ（１）の端部側に、グリップ要素（１１）が設けられていることを特徴とする請求項１から５のいずれか一つに記載のポケットランプ。
【発明の詳細な説明】
【技術分野】
【０００１】
本発明は、円筒形のケーシングと、および、このケーシング内に収納された、少なくとも１つの電池の取り外し可能な保持のための電池カートリッジとを有する、ポケットランプに関する。
【背景技術】
【０００２】
冒頭に記載した様式の、電池カートリッジを有するポケットランプは、例えば、特許文献１内において記載されている。この電池カートリッジは、端部側に設けられた、継続的にオン（オルタネイト動作）するかまたは押圧時のみオン（モーメンタリ動作）するスイッチ（Ｄｒｕｃｋ−  ｏｄｅｒ  Ｔａｓｔｓｃｈａｌｔｅｒ）を備えており、このスイッチが、ケーシング側の押しボタンでもって操作される。
【０００３】
更に、従来技術に従いポケットランプが公知であり、このポケットランプが、ケーシング側に、１つのスライドスイッチを備えており、このスライドスイッチが、通常、親指でもって操作される。
【０００４】
スライドスイッチを有するこのようなポケットランプは、容易が操作に基づいて、非常に人気がある。
【０００５】
実際上、スライドスイッチは、通常は、電池ケーシングの前方に領域内において設けられており、この場所において、組み付けは比較的に複雑であり、且つ従って、コストが高い。
【０００６】
これと共に、同様に、故障したスライドスイッチの交換も相応して費用がかさみ、従って、しばしば単に磨耗部材だけが交換されねばならないにもかかわらず、頻繁にポケットランプ全体が交換される。特に、高級なケーシングを有するポケットランプの場合、故障したスライドスイッチは、これらの理由から、特に不利である。
【先行技術文献】
【特許文献】
【０００７】
【特許文献１】ドイツ連邦共和国特許出願公開第１０  ２００７  ０３２  ００３Ａ１号明細書
【発明の概要】
【発明が解決しようとする課題】
【０００８】
従って、本発明の課題は、１つのポケットランプを提供することであり、
このポケットランプの場合、故障したスライドスイッチが、簡単に且つコストとは無関係に組み付けられもしくは交換され得る。
【課題を解決するための手段】
【０００９】
この課題は、請求項１に従うポケットランプによって解決され、それに従って、本発明により、ケーシングの上で移動可能に支承されたスライダーと、および、電池カートリッジの上に設けられた切替アームとを有する、スライドスイッチが設けられている。
【００１０】
換言すれば、スライドスイッチは、２つの要素を備えており、その際、ケーシング側で、操作要素がスライダーの様式において、および、電池カートリッジ側で、接触要素が切替アームの様式において形成されている。従って、この接触要素の機構は、このケーシングの外側で組み付けられ得る。それに加えて、例えば切替アームのような、摩耗部材は、簡単に且つコストとは無関係に交換され得る。
【発明の効果】
【００１１】
本発明の有利な構成は、従属請求項内において、および以下において記載されている。
【００１２】
第１の有利な構成に従い、
切替アームに電気的な接触要素が、および、電池カートリッジの上に電気的な接触面が形成されている。従って、この切替アームの旋回運動によって、電流回路は閉鎖され、その際、接触要素が、接触面に対して押圧される。その際、この切替アームは、同時に、電気的な導体としての役目を果たす。
【００１３】
選択的に、この目的で、この接触要素は、同様に、電池カートリッジの上で互いに離れて離間された２つの接触面が互いに結合されるようにも形成され得る。その際、この切替アームは、有利には、絶縁体として形成されている。
【００１４】
更に有利な構成に従い、
スライダーの下側に、機械的な接触要素が形成されており、この接触要素が、組み込まれた状態において、切替アームと当接状態にある。このスライダーのスライド運動によって、切替アームは、相応して、電池カートリッジの接触面に対して押圧される。この目的のために、切替アームは、立ち上がり傾斜部、アーチ状の隆起部、および、このアーチ状の隆起部に比して降下された部分領域を備えている。
【００１５】
この切替アームの構成は、特に有利である。何故ならば、スイッチが、押圧時のみオン（モーメンタリ動作）する機能（Ｔａｓｔｆｕｎｋｔｉｏｎ）を備えていると同様に、継続的（オルタネイト）にスイッチオン状態にもされ得るからである。
【００１６】
このスライダーの操作の際に、機械的な接触要素は、切替アームの立ち上がり傾斜部の上側でスライドし、この切替アームを、この接触要素でもって、接触面に対して押圧する。この機械的な接触要素２１が、アーチ状の隆起部９を、通過してしまわない限り、このスイッチは、このスイッチから手を離した際に、出発位置内へと戻りスライドし、この出発位置において、電気的な接触が閉鎖されてなく、従って、このことによって、押圧時のみオン（モーメンタリ動作）する機能が形成される。
【００１７】
この機械的な接触要素２１が、アーチ状の隆起部９を通過するやいなや、このスイッチは係止されており、従って、この電気的な接触は、継続的（オルタネイト）に閉鎖されている。この電気的な接触の開放は、単にこのスライダーの戻し案内だけによって可能である。
【００１８】
電池ケーシング内における電池カートリッジの正確な位置決めを可能とするために、有利には、電池カートリッジ、およびケーシング内側表面の上に、案内要素が設けられている。更に、有利な更なる構成に従い、電池カートリッジの端部側にグリップ要素が設けられており、このことは、この電池カートリッジの電池ケーシング内への組み付け、および電池ケーシングからの引き抜きを容易にする。
【００１９】
更に有利な構成並びに具体的な実施形態を、以下で、図に基づいて説明する。
【図面の簡単な説明】
【００２０】
【図１ａ】電池カートリッジの側面図である。
【図１ｂ】電池カートリッジの正面図である。
【図２】スライドスイッチおよび電池カートリッジを有するポケットランプの図である。
【発明を実施するための形態】
【００２１】
電池カートリッジ１は、電池もしくは蓄電池を収容するための、多数の窪み部２、２′を有しており、これら窪み部が、適当な接触要素３、３′、３″、３′″を介して、電気的に互いに結合されており、従って、閉鎖された電流回路が形成され、この電流回路でもって、１つの光源４、例えば、ＬＥＤが作動され得る。
【００２２】
この電流回路を閉鎖および開放可能とするために、１つのスイッチが設けられており、このスイッチが、１つのスライダー（図１ａおよび１ｂ内において図示されていない）、および、この電池カートリッジ１に設けられた切替アーム５を備えている。図示された状況において、この切替アーム５は、電流回路の一部として形成されており、且つ、電池カートリッジ側の電気的な接触面７と結合され得る。
【００２３】
この目的のために、切替アーム５は、旋回可能に支承されており、且つ、立ち上がり傾斜部８、アーチ状の隆起部９、並びに、このアーチ状の隆起部９に比して降下された部分領域１０を備えている。
【００２４】
スライダー２０（図２参照）、およびこのスライダーに設けられた、機械的な、立ち上がり傾斜部８の上でスライドする接触要素２１を用いて、この切替アーム５は、この切替アームの接触要素６でもって、電気的な接触面７に対して押圧される。その際、スイッチは、押圧時のみオンするスイッチ（モーメンタリ動作スイッチ（Ｔａｓｔｅｒ））および継続的にオンするスイッチ（オルタネイト動作スイッチ（Ｄａｕｅｒｓｃｈａｌｔｅｒ））が組み合わせられたスイッチ（Ｔａｓｔｅｒ  ｕｎｄ  Ｄａｕｅｒｓｃｈａｌｔｅｒ）として形成されている。
【００２５】
この機械的な接触要素２１が、アーチ状の隆起部９を、切替工程の際に未だに通過してしまっていない限り、このスイッチは、押圧時のみオンするスイッチとしての役目を果たす。
【００２６】
図２内において、組み込まれた電池カートリッジ１およびスイッチ２４を有するポケットランプ２３が示されている。
【符号の説明】
【００２７】
１    電池カートリッジ
２、２′    窪み部
３、３′、３″、３′″    接触要素
４    光源
５    切替アーム
６    接触要素、電気的な接触要素
７    電気的な接触面
８    立ち上がり傾斜部
９    アーチ状の隆起部
１０  部分領域
１１  グリップ要素
２０  スライダー
２１  接触要素
２３  ポケットランプ
２４  スイッチ、スライドスイッチ
【図１ａ】
2013531344.tif 000003
【図１ｂ】
2013531344.tif 000004
【図２】
2013531344.tif 000005
【国際調査報告】
2013531344.tif 000006
2013531344.tif 000007
2013531344.tif 000008
2013531344.tif 000009